(57)【要約】      （修正有）【課題】テープ等を用いることなく、簡単に物品を梱包し、保護することができるハニカム梱包材を提供する。【解決手段】段ボール板部２、及び、段ボール板部と接続されたハニカム部３を有するハニカム梱包材１であって、段ボール板部は矩形を有し、１辺にハニカム部が接続され、ハニカム部が接続された辺と対向する辺に複数の切り欠き４が設けられており、ハニカム部は、矩形の本体に互いに平行な複数のスリット５が断続的に形成されており、本体を伸ばすと、立体的なハニカム状となるものであり、段ボール板部とハニカム部との接続部分を折り曲げると、ハニカム部の一部を切り欠きに係合させることができる。【選択図】図１
0003235447.tif 000002
【実用新案登録請求の範囲】
【請求項１】
段ボール板部、及び、前記段ボール板部と接続されたハニカム部を有するハニカム梱包材であって、
前記段ボール板部は矩形を有し、１辺に前記ハニカム部が接続され、前記ハニカム部が接続された辺と対向する辺に複数の切り欠きが設けられており、
前記ハニカム部は、矩形の本体に互いに平行な複数のスリットが断続的に形成されており、前記本体を伸ばすと、立体的なハニカム状となるものであり、
前記段ボール板部と前記ハニカム部との接続部分を折り曲げると、前記ハニカム部の一部を前記切り欠きに係合させることができることを特徴とする、ハニカム梱包材。
【請求項２】
前記段ボール板部は、残りの２辺にも複数の切り欠きが設けられていることを特徴とする、請求項１に記載のハニカム梱包材。
【請求項３】
前記段ボール板部及び前記ハニカム部は段ボールによって一体に形成されていることを特徴とする請求項１又は２に記載のハニカム梱包材。
【考案の詳細な説明】
【技術分野】
【０００１】
本考案は、物品を包んで梱包するためハニカム梱包材に関する。
【背景技術】
【０００２】
物品を発送する際に壊れないように梱包するための梱包材として様々な梱包材が用いられている。例えば、特許文献１，２のようにエアークッションを用いた梱包材、特許文献３のように段ボールを用いた梱包材等、様々な材質、形状を用いた梱包材が存在している。
【０００３】
特許文献１〜３の梱包材は様々な大きさ及び形状の物品に対応することができるが、梱包する際に物品を包む、又は、挟むことで保護することができるが、物品を保護した状態で固定する場合、別途のテープ等を用いる必要があり、梱包材だけで固定することができない。そして、梱包材で物品を包んだだけの状態だと運搬時に梱包が解ける可能性もある。
【先行技術文献】
【特許文献】
【０００４】
【特許文献１】特開平７−２９１３５８号公報
【特許文献２】特開平１１−１２７４号公報
【特許文献３】特開２０１３−１８５１８号公報
【考案の概要】
【考案が解決しようとする課題】
【０００５】
本考案は、梱包時にテープ等を用いないで物品を簡単に梱包して保護することができるハニカム梱包材を提供することを目的とする。
【課題を解決するための手段】
【０００６】
本考案のハニカム梱包材は、段ボール板部、及び、前記段ボール板部と接続されたハニカム部を有するハニカム梱包材であって、前記段ボール板部は矩形を有し、１辺に前記ハニカム部が接続され、前記ハニカム部が接続された辺と対向する辺に複数の切り欠きが設けられており、前記ハニカム部は、矩形の本体に互いに平行な複数のスリットが断続的に形成されており、前記本体を伸ばすと、立体的なハニカム状となるものであり、前記段ボール板部と前記ハニカム部との接続部分を折り曲げると、前記ハニカム部の一部を前記切り欠きに係合させることができることを特徴とする。
【０００７】
前記段ボール板部には、残りの２辺にも複数の切り欠きを設けることができる。
【０００８】
前記段ボール板部及び前記ハニカム部は段ボールによって一体に形成されている。
【考案の効果】
【０００９】
本考案のハニカム梱包材は、段ボール板部、及び、前記段ボール板部と接続されたハニカム部を有するハニカム梱包材であって、前記段ボール板部は矩形を有し、１辺に前記ハニカム部が接続され、前記ハニカム部が接続された辺と対向する辺に複数の切り欠きが設けられており、前記ハニカム部は、矩形の本体に互いに平行な複数のスリットが断続的に形成されており、前記本体を伸ばすと、立体的なハニカム状となるものであり、前記段ボール板部と前記ハニカム部との接続部分を折り曲げると、前記ハニカム部の一部を前記切り欠きに係合させることができることにより、梱包時にテープ等を用いないでハニカム梱包材だけで物品を梱包し、保護することができる。
【００１０】
前記段ボール板部は、残りの２辺にも複数の切り欠きが設けられていることにより、前記ハニカム部を、前記段ボール板部に対して３辺で固定することができるようになり、より強固に梱包状態を保つことができるようになる。  
【００１１】
前記段ボール板部及び前記ハニカム部は段ボールによって一体に形成されていることにより、前記段ボール板部と前記ハニカム部との接続されている部分の強度が向上し、また、前記段ボール板部と前記ハニカム部とを接続する工程を省略することができる。
【図面の簡単な説明】
【００１２】
【図１】ハニカム梱包材の斜視図である。
【図２】ハニカム梱包材のハニカム部を伸ばしてハニカム状にした状態の斜視図である。
【図３】ハニカム梱包材の段ボール板部の上に物品を載せた状態の斜視図である。
【図４】ハニカム梱包材で物品を梱包した状態の斜視図である。
【図５】段ボール板部の３辺に切り欠きを設けたハニカム梱包材の斜視図である。
【考案を実施するための形態】
【００１３】
本考案のハニカム梱包材１について、図１〜５を用いて以下に詳細に説明する。本考案のハニカム梱包材１は、宅配便等で物品を発送する際に物品を保護して梱包するためのものであり、図１に示すように、段ボール板部２、及び、前記段ボール板部２と接続されたハニカム部３から構成される。
【００１４】
前記段ボール板部２は矩形を有し、段ボールで形成された板状の部材である。図１，２に示すように、前記段ボール板部２の１辺に前記ハニカム部３が接続されている。そして、前記段ボール板部２は、前記ハニカム部３が接続された辺と対向する辺に複数の切り欠き４が設けられている。
【００１５】
前記切り欠き４は、前記ハニカム部３のハニカム状の部分が係合される形状であればよく、図１，２に示すような山形だけではなく、様々な形状が可能である。前記切り欠き４は、図１，２に示すように、前記段ボール板部２の１辺だけに設けるのではなく、図５に示すように、残りの２辺に設けることも可能であり、前記ハニカム部３が接続されている辺以外の全ての辺に設けることも可能である。このように、全ての辺に切り欠き４を設けるのであれば、前記段ボール板部２を多角形、曲線を含む形状等に変更することも可能である。
【００１６】
前記ハニカム部３は、矩形の本体に互いに平行な複数のスリット５が断続的に形成され、千鳥状に配置されており、前記本体を前記スリット５に対して垂直な方向に引っ張って伸ばすと、スリット５が広がって開口となり、前記ハニカム部３が立体的なハニカム状となるものであり、クッションペーパー等と呼ばれている緩衝材である。
【００１７】
前記ハニカム部３を製品として販売する際には、図１に示すように、前記本体を伸ばさないで平坦な状態としておくことも可能である。そして、実際に物品を梱包する際に、図２に示すように、前記本体を引っ張って伸ばすことで前記ハニカム部３をハニカム状にして、物品を梱包できる状態とすることができる。製品として販売する際に前記ハニカム部３は、前記本体を予め伸ばしてハニカム状にしておくことも可能である。
【００１８】
前記ハニカム部３は、前記段ボール板部２と１辺が接続されており、前記ハニカム部３をハニカム状にして、前記段ボール板部２との接続部分を折り曲げると、前記ハニカム部３は複数の開口がハニカム状に配置されていることから、前記段ボール板部２の切り欠き４に係合させることができる。このような構造を用いることにより、本考案のハニカム梱包材１は、前記ハニカム部３を前記段ボール板部２の切り欠き４に係合させるだけで、テープ等を用いることなく、物品を簡単に梱包し、保護することができる。また、前記ハニカム部３は、全体がハニカム状を有していることから、梱包する物品の大きさ及び形状に応じて、様々な場所を前記段ボール板部２の切り欠き４に係合させることができる。
【００１９】
前記ハニカム部３は、従来のクッションペーパーのように紙で形成することができるが、この場合、ハニカム梱包材１を製造する際に前記段ボール板部２の１辺に固定する作業が必要となる。そのため、前記ハニカム部３は、前記段ボール板部２と一体で段ボールで形成することも可能である。この場合、１枚の矩形の段ボールの半分に前記スリット５を形成して、前記ハニカム部３を形成することができる。これにより、前記ハニカム部３を前記段ボール板部２に接続する工程を省略することができる。また、物品を梱包する際に、段ボールで全体を覆うことになるので、緩衝効果を向上させることができる。
【００２０】
本考案のハニカム梱包材１の大きさは、様々な物品を梱包することを想定して、特に限定するものではなく、大きさの異なるハニカム梱包材１を複数容易にすることも可能である。そして、前記ハニカム部３の開口の大きさ、及び、前記段ボール板部２の切り欠き４の大きさは、前記ハニカム部３の開口が、前記切り欠き４に係合できる大きさであればよく、前記切り欠き４を前記ハニカム部３の開口よりも小さくして、１つの開口が複数の切り欠き４と係合する構造とすることも可能である。
【００２１】
本考案のハニカム梱包材１の使用方法について、図３，４を用いて説明する。ハニカム梱包材１を用いて物品１０を梱包する場合、初めに、図３に示すように、前記段ボール板部２の上に物品１０を載せる。その後、ハニカム状となった前記ハニカム部３を、前記段ボール板部２との接続部分で折り曲げて前記物品１０を覆う。その後、前記ハニカム部３のハニカム状に配置された開口を用いてを前記段ボール板部２の切り欠き４に係合させると、図４に示すように、前記物品１０の梱包が完了する。
【００２２】
このように、前記ハニカム梱包材１によって物品１０を梱包すると、前記物品１０は前記段ボール板部２及び前記ハニカム部３によって覆われて保護された状態で梱包されることになる。前記ハニカム梱包材１で物品１０を梱包する際に、物品１０が小さい場合は、複数の物品１０を１つのハニカム梱包材１で梱包することも可能である。
【００２３】
本考案のハニカム梱包材１は、切り欠き４にハニカム部３を係合させるだけで、テープ等を用いることなく、簡単に物品１０を固定して梱包することができる。また、ハニカム部３は伸縮し、ハニカム部３はハニカム状を有することでどの場所でも切り欠き４と係合することができることから、様々な大きさ及び形状の物品を確実に梱包することができる。そして、従来のクッションペーパーとは違って、段ボール板部２を有していることから、梱包材としての強度も向上しており、特に、前記ハニカム部３を段ボールで形成すると、より緩衝効果を向上させることができる。
【００２４】
図５に示すように、前記段ボール板部２の３辺に切り欠き４を設けた場合、前記物品１０を梱包した後、前記ハニカム梱包材１は、１辺は、前記段ボール板部２と前記ハニカム部３が接続され、３辺は前記ハニカム部３が前記段ボール板部２の切り欠き４と係合されていることにより、４辺が閉じられた状態なり、前記物品１０が前記ハニカム梱包材１から飛び出ることを防止することができ、より確実に、保護することができる。
【符号の説明】
【００２５】
１      ハニカム梱包材
２      段ボール板部
３      ハニカム部
４      切り欠き
５      スリット
１０    物品
【図１】
0003235447.tif 000003
【図２】
0003235447.tif 000004
【図３】
0003235447.tif 000005
【図４】
0003235447.tif 000006
【図５】
0003235447.tif 000007